(57)【要約】【課題】基板に対する感光材料層の貼り付け状態を容易且つ高精度に検出し、また、感光材料層の貼り付け位置を調整して、高品質な感光性積層体を効率的に製造する。【解決手段】ガラス基板２４及び感光性樹脂層２８の後端部及び先端部の位置関係をＣＣＤカメラ９６ａ〜９６ｃによって検出し、その位置ずれ量を算出して、感光性ウエブ２２ａ、２２ｂの送り量を調整し、あるいは、感光性樹脂層２８に形成するハーフカット部位の位置を調整する。【選択図】図４
2008110492.tif 000002
【特許請求の範囲】
【請求項１】
支持体上に感光材料層と保護フイルムとが順に積層されてなる長尺状感光性ウエブを送り出し、前記保護フイルムに剥離部分と残存部分との境界位置に対応する加工部位を形成し、前記保護フイルムの前記剥離部分を剥離し、所定の間隔で供給される基板とともに加熱された一対の圧着ローラ間に連続的に送り出し、前記基板間に前記保護フイルムの前記残存部分を配置するとともに、露出した前記感光材料層を前記基板に貼り付けることで感光性積層体を製造する製造装置において、
前記圧着ローラの下流側に配設され、前記基板の端部と、前記基板に貼り付けられた前記長尺状感光性ウエブの前記加工部位とを検出する検出部と、
前記端部及び前記加工部位間の距離を算出する距離算出部と、
を備えることを特徴とする感光性積層体の製造装置。
【請求項２】
請求項１記載の製造装置において、
前記距離算出部は、前記基板の上流側端部及び前記加工部位間の距離と、前記基板の下流側端部及び前記加工部位間の距離とを算出することを特徴とする感光性積層体の製造装置。
【請求項３】
請求項１又は２記載の製造装置において、
前記距離に基づき、前記基板に対する前記感光材料層の貼り付け位置を調整する調整部を備えることを特徴とする感光性積層体の製造装置。
【請求項４】
請求項３記載の製造装置において、
前記調整部は、前記距離に基づき、前記基板に対する前記長尺状感光性ウエブの送り量を調整することを特徴とする感光性積層体の製造装置。
【請求項５】
請求項３記載の製造装置において、
前記調整部は、前記距離に基づき、前記加工部位の加工位置を調整することを特徴とする感光性積層体の製造装置。
【請求項６】
請求項１記載の製造装置において、
前記検出部は、前記長尺状感光性ウエブを透過する光の光量に基づき、前記基板の端部及び前記加工部位を検出することを特徴とする感光性積層体の製造装置。
【請求項７】
請求項１記載の製造装置において、
前記基板には、複数枚の長尺状感光性ウエブの感光材料層が並列に貼り付けられることを特徴とする感光性積層体の製造装置。
【請求項８】
請求項７記載の製造装置において、
前記検出部は、前記各長尺状感光性ウエブの前記各加工部位を検出する複数の前記検出部からなることを特徴とする感光性積層体の製造装置。
【請求項９】
支持体上に感光材料層と保護フイルムとが順に積層されてなる長尺状感光性ウエブを送り出し、前記保護フイルムに剥離部分と残存部分との境界位置に対応する加工部位を形成し、前記保護フイルムの前記剥離部分を剥離し、所定の間隔で供給される基板とともに加熱された一対の圧着ローラ間に連続的に送り出し、前記基板間に前記保護フイルムの前記残存部分を配置するとともに、露出した前記感光材料層を前記基板に貼り付けることで感光性積層体を製造する製造方法において、
前記基板の端部と、前記基板に貼り付けられた前記長尺状感光性ウエブの前記加工部位とを検出するステップと、
前記端部及び前記加工部位間の距離を算出するステップと、
からなることを特徴とする感光性積層体の製造方法。
【請求項１０】
請求項９記載の製造方法において、
前記距離に基づき、前記基板に対する前記感光材料層の貼り付け位置を調整することを特徴とする感光性積層体の製造方法。
【請求項１１】
請求項１０記載の製造方法において、
前記距離に基づき、前記基板に対する前記長尺状感光性ウエブの送り量を調整することで、前記感光材料層の貼り付け位置を調整することを特徴とする感光性積層体の製造方法。
【請求項１２】
請求項１０記載の製造方法において、
前記距離に基づき、前記加工部位の加工位置を調整することで、前記感光材料層の貼り付け位置を調整することを特徴とする感光性積層体の製造方法。
【請求項１３】
請求項９記載の製造方法において、
前記基板には、複数枚の前記長尺状感光性ウエブが並列に貼り付けられることを特徴とする感光性積層体の製造方法。
【発明の詳細な説明】
【技術分野】
【０００１】
本発明は、基板と、支持体上に感光材料層が設けられた長尺状感光性ウエブとを一対の圧着ローラ間に送り出し、前記感光材料層を前記基板に貼り付けることで感光性積層体を製造する感光性積層体の製造装置及び製造方法に関する。
【背景技術】
【０００２】
例えば、液晶パネル用基板、プリント配線用基板、ＰＤＰパネル用基板では、感光性樹脂層（感光材料層）を有する感光性シート体（感光性ウエブ）を基板表面に貼り付けて構成されている。感光性シート体は、可撓性プラスチック支持体上に感光性樹脂層と保護フイルムとが順に積層されている。
【０００３】
この種の感光性シート体の貼り付けに使用される製造装置は、通常、ガラス基板や樹脂基板等の基板を所定の間隔ずつ離間させて搬送するとともに、前記基板に貼り付けられる感光性樹脂層の範囲に対応して、前記感光性シート体から保護フイルムを剥離する方式が採用されている。
【０００４】
例えば、特許文献１に開示されている製造装置では、図９に示すように、フイルムロール１から繰り出される積層体フイルム（感光性シート体）１ａは、ガイドローラ２ａ、２ｂに巻き付けられて水平のフイルム搬送面に沿って延在している。このガイドローラ２ｂには、積層体フイルム１ａの送り量に応じた数のパルス信号を出力するロータリエンコーダ３が取り付けられている。
【０００５】
水平のフイルム搬送面に沿って延在する積層体フイルム１ａは、サクションローラ４に巻き掛けられるとともに、前記ガイドローラ２ｂと前記サクションローラ４との間には、ハーフカッタ５とカバーフイルム剥離装置６とが設けられている。
【０００６】
ハーフカッタ５は、積層体フイルム１ａの搬送方向に所定間隔離間する一対のディスクカッタ５ａ、５ｂを備えている。ディスクカッタ５ａ、５ｂは、積層体フイルム１ａのフイルム幅方向に沿って移動することにより、前記積層体フイルム１ａのカバーフイルム（図示せず）における剥離部分と残存部分との２個所の境界部分をその裏側の感光性樹脂層（図示せず）と一体に切断する。
【０００７】
カバーフイルム剥離装置６は、粘着テープロール７から繰り出される粘着テープ７ａを押圧ローラ８ａ、８ｂ間でカバーフイルムの剥離部分に強く圧着させた後、巻き取りロール９によって巻き取る。これにより、カバーフイルムの剥離部分は、感光性樹脂層から剥離されて粘着テープ７ａと共に巻き取りロール９に巻き取られる。
【０００８】
サクションローラ４の下流には、基板搬送装置１０によって所定の間隔で搬送される複数の基板１１の上面に、カバーフイルムの剥離された積層体フイルム１ａの剥離部分を重ねて圧着する一対のラミネーションローラ１２ａ、１２ｂが配設されている。このラミネーションローラ１２ａ、１２ｂの下流側には、支持フイルム巻き取りロール１３が配置されている。基板１１に貼り付けられている透光性支持フイルム（図示せず）は、基板１１に感光性樹脂層を残存させた状態でカバーフイルムの残存部分とともに支持フイルム巻き取りロール１３に巻き取られる。
【０００９】
【特許文献１】特開平１１−３４２８０号公報（図１）
【発明の開示】
【発明が解決しようとする課題】
【００１０】
ところで、カバーフイルムの剥離された積層体フイルム１ａの剥離部分を基板１１の所望の範囲に正確に貼り付けるためには、カバーフイルムの剥離部分と残存部分との境界部分を基準として、積層体フイルム１ａをラミネーションローラ１２ａ、１２ｂ間に高精度に送り出す必要がある。
【００１１】
しかしながら、積層体フイルム１ａは、可撓性の支持フイルム上に感光性樹脂層を形成したものであり、テンションを付与した状態で搬送されるため、搬送中に発生した延びの影響により、前記境界部分の位置がずれてしまうおそれがある。また、ラミネーションローラ１２ａ、１２ｂは、積層体フイルム１ａと基板１１とを加熱した状態で貼り付けるため、特に、ラミネーションローラ１２ａ、１２ｂの近傍での積層体フイルム１ａの延びが大きくなってしまう。
【００１２】
この場合、ラミネーションローラ１２ａ、１２ｂ間において、前記積層体フイルム１ａの前記境界部分の位置を検出することができれば、その位置を調整して高精度な貼り付け処理を行うことが可能である。しかしながら、積層体フイルム１ａ及び基板１１をラミネーションローラ１２ａ、１２ｂで挟持したまま境界部分の位置を検出することは、ラミネーションローラ１２ａ、１２ｂが検出を阻害するため、現実的には不可能である。
【００１３】
そのため、製造された感光性積層体を抜き取って検査し、貼り付け位置精度が低下した場合、積層体フイルム１ａの送り量を調整する等の処理を行うこととなり、製造効率が低下するとともに、許容範囲から外れた感光性積層体が製造されることで歩留まりが低下する不具合が指摘されている。
【００１４】
本発明は、この種の問題を解決するものであり、基板に対する感光材料層の貼り付け状態を容易且つ高精度に検出し、また、感光材料層の貼り付け位置を調整して、高品質な感光性積層体を効率的に製造することのできる感光性積層体の製造装置及び製造方法を提供することを目的とする。
【課題を解決するための手段】
【００１５】
本発明は、支持体上に感光材料層と保護フイルムとが順に積層されてなる長尺状感光性ウエブを送り出し、前記保護フイルムに剥離部分と残存部分との境界位置に対応する加工部位を形成し、前記保護フイルムの前記剥離部分を剥離し、所定の間隔で供給される基板とともに加熱された一対の圧着ローラ間に連続的に送り出し、前記基板間に前記保護フイルムの前記残存部分を配置するとともに、露出した前記感光材料層を前記基板に貼り付けることで感光性積層体を製造する製造装置において、
前記圧着ローラの下流側に配設され、前記基板の端部と、前記基板に貼り付けられた前記長尺状感光性ウエブの前記加工部位とを検出する検出部と、
前記端部及び前記加工部位間の距離を算出する距離算出部と、
を備えることを特徴とする。
【００１６】
また、本発明は、支持体上に感光材料層と保護フイルムとが順に積層されてなる長尺状感光性ウエブを送り出し、前記保護フイルムに剥離部分と残存部分との境界位置に対応する加工部位を形成し、前記保護フイルムの前記剥離部分を剥離し、所定の間隔で供給される基板とともに加熱された一対の圧着ローラ間に連続的に送り出し、前記基板間に前記保護フイルムの前記残存部分を配置するとともに、露出した前記感光材料層を前記基板に貼り付けることで感光性積層体を製造する製造方法において、
前記基板の端部と、前記基板に貼り付けられた前記長尺状感光性ウエブの前記加工部位とを検出するステップと、
前記端部及び前記加工部位間の距離を算出するステップと、
からなることを特徴とする。
【発明の効果】
【００１７】
本発明では、基板に対する感光材料層の貼り付け状態を容易且つ高精度に検出することができる。また、検出した貼り付け状態に基づき、基板に対する感光材料層の貼り付け位置を調整することにより、高品質な感光性積層体を効率的に製造することができる。
【発明を実施するための最良の形態】
【００１８】
図１は、本発明の第１の実施形態に係る感光性積層体の製造装置２０の概略構成図であり、この製造装置２０は、液晶又は有機ＥＬ用カラーフィルタ等の製作工程で、長尺状感光性ウエブ２２ａ、２２ｂの各感光性樹脂層２８（後述する）を並列してガラス基板２４に熱転写する作業を行う。感光性ウエブ２２ａ、２２ｂは、それぞれ所定の幅寸法に設定されており、例えば、前記感光性ウエブ２２ａが前記感光性ウエブ２２ｂよりも幅広に構成されている。
【００１９】
図２は、製造装置２０に使用される感光性ウエブ２２ａ、２２ｂの断面図である。この感光性ウエブ２２ａ、２２ｂは、可撓性ベースフイルム（支持体）２６と、感光性樹脂層（感光材料層）２８と、保護フイルム３０とを積層して構成される。
【００２０】
図１に示すように、製造装置２０は、感光性ウエブ２２ａ、２２ｂをローラ状に巻回した２本（２本以上であればよい）の感光性ウエブロール２３ａ、２３ｂを収容し、各感光性ウエブロール２３ａ、２３ｂから前記感光性ウエブ２２ａ、２２ｂを同期して送り出し可能な第１及び第２ウエブ送り出し機構３２ａ、３２ｂと、送り出された各感光性ウエブ２２ａ、２２ｂの保護フイルム３０に幅方向に切断可能な境界位置であるハーフカット部位（加工部位）３４を形成する第１及び第２加工機構３６ａ、３６ｂと、一部に非接着部３８ａを有する接着ラベル３８（図３参照）を各保護フイルム３０に接着させる第１及び第２ラベル接着機構４０ａ、４０ｂとを備える。
【００２１】
第１及び第２ラベル接着機構４０ａ、４０ｂの下流には、各感光性ウエブ２２ａ、２２ｂをタクト送りから連続送りに変更するための第１及び第２リザーバ機構４２ａ、４２ｂと、各感光性ウエブ２２ａ、２２ｂから保護フイルム３０を所定の長さ間隔で剥離させる第１及び第２剥離機構４４ａ、４４ｂと、ガラス基板２４を所定の温度に加熱した状態で貼り付け位置に搬送する基板搬送機構４５と、前記保護フイルム３０の剥離により露出した感光性樹脂層２８を前記ガラス基板２４に一体的且つ並列に貼り付ける貼り付け機構４６とが配設される。
【００２２】
貼り付け機構４６における貼り付け位置の上流近傍には、各感光性ウエブ２２ａ、２２ｂの境界位置であるそれぞれのハーフカット部位３４を直接検出する第１及び第２検出機構４７ａ、４７ｂが配設される。
【００２３】
第１及び第２ウエブ送り出し機構３２ａ、３２ｂの下流近傍には、略使用済みの感光性ウエブ２２ａ、２２ｂの後端と、新たに使用される感光性ウエブ２２ａ、２２ｂの先端とを貼り付けるそれぞれの貼り付け台４９が配設される。貼り付け台４９の下流には、感光性ウエブロール２３ａ、２３ｂの巻きずれによる幅方向のずれを制御するために、フイルム端末位置検出器５１が配設される。ここで、フイルム端末位置調整は、第１及び第２ウエブ送り出し機構３２ａ、３２ｂを幅方向に移動させて行うが、ローラを組み合わせた位置調整機構を付設して行ってもよい。なお、第１及び第２ウエブ送り出し機構３２ａ、３２ｂは、感光性ウエブロール２３ａ、２３ｂを装填して感光性ウエブ２２ａ、２２ｂを繰り出す繰り出し軸を、２軸又は３軸等の多軸に構成してもよい。
【００２４】
第１及び第２加工機構３６ａ、３６ｂは、第１及び第２ウエブ送り出し機構３２ａ、３２ｂに収容巻回されている各感光性ウエブロール２３ａ、２３ｂのロール径を算出するためのローラ対５０の下流に配置される。第１及び第２加工機構３６ａ、３６ｂは、それぞれ単一の丸刃５２を備え、この丸刃５２は、感光性ウエブ２２ａ、２２ｂの幅方向に走行して、保護フイルム３０の残存部分３０ｂ（図２）を挟んだ所定の２個所の位置にハーフカット部位３４を形成する。
【００２５】
図２に示すように、ハーフカット部位３４は、少なくとも保護フイルム３０を切断する必要があり、実際上、この保護フイルム３０を確実に切断するために感光性樹脂層２８乃至ベースフイルム２６まで切り込むように丸刃５２の切り込み深さが設定される。丸刃５２は、回転することなく固定された状態で、感光性ウエブ２２ａ、２２ｂの幅方向に移動してハーフカット部位３４を形成する方式や、前記感光性ウエブ２２ａ、２２ｂ上を滑ることなく回転しながら前記幅方向に移動して前記ハーフカット部位３４を形成する方式が採用される。このハーフカット部位３４は、丸刃５２に代替して、例えば、レーザ光や超音波を用いたカット方式の他、ナイフ刃、押し切り刃（トムソン刃）等で形成する方式を採用してもよい。
【００２６】
なお、第１及び第２加工機構３６ａ、３６ｂは、それぞれ感光性ウエブ２２ａ、２２ｂの搬送方向（矢印Ａ方向）に残存部分３０ｂの幅に対応した距離Ｌだけ離間して２台配設し、保護フイルム３０の残存部分３０ｂ（図２）を挟んで２つのハーフカット部位３４を同時に形成してもよい。
【００２７】
ハーフカット部位３４は、例えば、両側の前記ガラス基板２４にそれぞれ１０ｍｍずつ入り込んだ位置に設定される。ガラス基板２４間のハーフカット部位３４で挟まれた部分は、後述する貼り付け機構４６において感光性樹脂層２８を前記ガラス基板２４に額縁状に貼り付ける際のマスクとして機能するものである。
【００２８】
第１及び第２ラベル接着機構４０ａ、４０ｂは、ガラス基板２４間に対応して保護フイルム３０の残存部分３０ｂを残すため、剥離側前方の剥離部分３０ａａと剥離側後方の剥離部分３０ａｂとを連結する接着ラベル３８を供給する。図２に示すように、保護フイルム３０は、残存部分３０ｂを挟んで、先に剥離される部分を前方の剥離部分３０ａａとする一方、後に剥離される部分を後方の剥離部分３０ａｂとする。
【００２９】
図３に示すように、接着ラベル３８は、短冊状に構成されており、例えば、保護フイルム３０と同一の樹脂材で形成される。接着ラベル３８は、中央部に粘着剤が塗布されない非接着部（微粘着を含む）３８ａを有するとともに、この非接着部３８ａの両側、すなわち、前記接着ラベル３８の長手方向両端部に、前方の剥離部分３０ａａに接着される第１接着部３８ｂと、後方の剥離部分３０ａｂに接着される第２接着部３８ｃとを有する。
【００３０】
図１に示すように、第１及び第２ラベル接着機構４０ａ、４０ｂは、それぞれ最大７枚の接着ラベル３８を所定間隔ずつ離間して貼り付け可能な吸着パッド５４ａ〜５４ｇを備えるとともに、前記吸着パッド５４ａ〜５４ｇによる前記接着ラベル３８の貼り付け位置には、感光性ウエブ２２ａ、２２ｂを下方から保持するための受け台５６が昇降自在に配置される。
【００３１】
第１及び第２リザーバ機構４２ａ、４２ｂは、上流側の感光性ウエブ２２ａ、２２ｂのタクト搬送と、下流側の前記感光性ウエブ２２ａ、２２ｂの連続搬送との速度差を吸収するために、矢印方向に揺動自在なダンサーローラ６０を備える。第２リザーバ機構４２ｂには、第１及び第２ウエブ送り出し機構３２ａ、３２ｂから送り出される各感光性ウエブ２２ａ、２２ｂが貼り付け機構４６に至るまでの各搬送路長を同一に調整するためのダンサーローラ６１が配設される。
【００３２】
第１及び第２リザーバ機構４２ａ、４２ｂの下流に配置される第１及び第２剥離機構４４ａ、４４ｂは、それぞれ感光性ウエブ２２ａ、２２ｂの送り出し側のテンション変動を遮断し、ラミネート時のテンションを安定化させるためのサクションドラム６２を備える。各サクションドラム６２の近傍には、剥離ローラ６３が配置されるとともに、この剥離ローラ６３を介して感光性ウエブ２２ａ、２２ｂから鋭角の剥離角で剥離される保護フイルム３０は、残存部分３０ｂを除いてそれぞれ保護フイルム巻き取り部６４に巻き取られる。
【００３３】
第１及び第２剥離機構４４ａ、４４ｂの下流側には、感光性ウエブ２２ａ、２２ｂにテンションを付与可能な第１及び第２テンション制御機構６６ａ、６６ｂが配設される。第１及び第２テンション制御機構６６ａ、６６ｂは、それぞれシリンダ６８を備え、前記シリンダ６８の駆動作用下に、それぞれテンションダンサー７０が揺動変位することにより、各テンションダンサー７０が摺接する感光性ウエブ２２ａ、２２ｂのテンションが調整可能である。なお、第１及び第２テンション制御機構６６ａ、６６ｂは、必要に応じて使用すればよく、削除することもできる。
【００３４】
第１及び第２検出機構４７ａ、４７ｂは、感光性ウエブ２２ａ、２２ｂに形成されたハーフカット部位３４を検出する、例えば、レーザ変位計やＣＣＤカメラ７２ａ、７２ｂを有する。
【００３５】
基板搬送機構４５は、ガラス基板２４を挟持するように配設される複数組の基板加熱部（例えば、ヒータ）７４と、このガラス基板２４を矢印Ｃ方向に搬送する搬送部７６とを備える。基板加熱部７４では、ガラス基板２４の温度を常時監視し、異常時には、搬送部７６の停止や警報を発生するとともに、異常情報を発信して異常なガラス基板２４を後工程でＮＧ排出、品質管理又は生産管理等に活用することができる。搬送部７６には、図示しないエア浮上プレートが配設され、ガラス基板２４が浮上されて矢印Ｃ方向に搬送される。ガラス基板２４の搬送は、ローラコンベアでも行える。
【００３６】
ガラス基板２４の温度測定は、基板加熱部７４内又は貼り付け位置直前で行うことが好ましい。測定方法としては、接触式（例えば、熱電対）の他、非接触式であってもよい。
【００３７】
基板加熱部７４の上流には、複数のガラス基板２４が収容される基板ストッカー７１が設けられる。この基板ストッカー７１に収容されている各ガラス基板２４は、ロボット７５のハンド部７５ａに設けられた吸着パッド７９に吸着されて取り出され、基板加熱部７４に挿入される。
【００３８】
貼り付け機構４６は、上下に配設されるとともに、所定温度に加熱されるゴムローラ（圧着ローラ）８０ａ、８０ｂを備える。ゴムローラ８０ａ、８０ｂには、バックアップローラ８２ａ、８２ｂが摺接する。一方のバックアップローラ８２ｂは、ローラクランプ部８３を構成する加圧シリンダ８４ａ、８４ｂによりゴムローラ８０ｂ側に押圧される。
【００３９】
ゴムローラ８０ａの近傍には、感光性ウエブ２２ａ、２２ｂが前記ゴムローラ８０ａに接触することを防止するための接触防止ローラ８６が移動可能に配設される。貼り付け機構４６の上流近傍には、感光性ウエブ２２ａ、２２ｂを予め所定温度に予備加熱するための予備加熱部８７が配設される。この予備加熱部８７は、例えば、赤外線バーヒータ等の加熱手段を備える。
【００４０】
ガラス基板２４は、貼り付け機構４６から矢印Ｃ方向に延在する搬送路８８を介して搬送される。この搬送路８８には、フイルム搬送ローラ９０ａ、９０ｂ及び基板搬送ローラ９２が配設される。ゴムローラ８０ａ、８０ｂと基板搬送ローラ９２との間隔は、ガラス基板２４の一枚分の長さ以下に設定されることが好ましい。基板搬送ローラ９２の下流側近傍には、搬送されたガラス基板２４の先端部（下流側端部）を検知する基板先端検知センサ９４が配設される。
【００４１】
また、基板先端検知センサ９４に近接する下流側には、図４に示すように、ガラス基板２４の搬送方向両端部と、ガラス基板２４に貼り付けられた感光性樹脂層２８に残存する保護フイルム３０の両端部とをそれぞれ検出する、例えば、エリアセンサからなる３台のＣＣＤカメラ９６ａ〜９６ｃ（検出部）が配設される。これらのＣＣＤカメラ９６ａ〜９６ｃは、感光性ウエブ２２ａ、２２ｂの幅方向に所定間隔離間して配置される。各ＣＣＤカメラ９６ａ〜９６ｃには、感光性樹脂層２８を感光することのない波長からなる光を感光性ウエブ２２ａ、２２ｂを介してＣＣＤカメラ９６ａ〜９６ｃに照射する照明光源９８ａ〜９８ｃが対向して配設される。
【００４２】
基板搬送ローラ９２の下流には、冷却機構１２３とベース自動剥離機構１４２とが設けられる。ベース自動剥離機構１４２は、所定間隔ずつ離間する各ガラス基板２４に貼り付けられている長尺なベースフイルム２６を連続して剥離するものであり、プレ剥離部１４４と、比較的小径な剥離ローラ１４６と、巻き取り軸１４８と、自動貼り付け機１５０とを備えている。巻き取り軸１４８は、駆動時にトルク制御してベースフイルム２６に張力を付与する一方、例えば、剥離ローラ１４６に張力検出器（図示せず）を設けることにより、張力のフィードバック制御を行うことが好ましい。プレ剥離部１４４は、ガラス基板２４間で昇降可能な剥離バー１５６を備える。
【００４３】
ベース自動剥離機構１４２の下流には、ガラス基板２４に実際に貼り付けられた感光性樹脂層２８のエリア位置を測定する測定器１５８が配設される。この測定器１５８は、例えば、感光性樹脂層２８が貼り付けられたガラス基板２４を撮影するＣＣＤ等のカメラ１６０を備える。
【００４４】
また、ベース自動剥離機構１４２の下流には、測定器１５８によって感光性樹脂層２８にエリア位置の測定された複数の感光性積層体１０６が収容される感光性積層体ストッカー１３２が設けられる。ベース自動剥離機構１４２でベースフイルム２６及び残存部分３０ｂが剥離された感光性積層体１０６は、ロボット１３４のハンド部１３４ａに設けられた吸着パッド１３６に吸着されて取り出され、感光性積層体ストッカー１３３に収容される。
【００４５】
なお、以上のように構成される製造装置２０では、第１及び第２ウエブ送り出し機構３２ａ、３２ｂ、第１及び第２加工機構３６ａ、３６ｂ、第１及び第２ラベル接着機構４０ａ、４０ｂ、第１及び第２リザーバ機構４２ａ、４２ｂ、第１及び第２剥離機構４４ａ、４４ｂ、第１及び第２テンション制御機構６６ａ、６６ｂ並びに第１及び第２検出機構４７ａ、４７ｂが、貼り付け機構４６の上方に配置されているが、これとは逆に、前記第１及び第２ウエブ送り出し機構３２ａ、３２ｂから前記第１及び第２検出機構４７ａ、４７ｂまでを前記貼り付け機構４６の下方に配置し、感光性ウエブ２２ａ、２２ｂの上下が逆になって感光性樹脂層２８がガラス基板２４の下側に貼り付けてもよく、また、前記製造装置２０全体を直線状に構成してもよい。
【００４６】
図１に示すように、製造装置２０は、ラミネート工程制御部１００により全体が制御されており、この製造装置２０の各機能部毎に、例えば、ラミネート制御部１０２、基板加熱制御部１０４及びハーフカット制御部１０８等が設けられ、これらが工程内ネットワークにより相互に接続されている。さらに、ラミネート工程制御部１００は、工場ネットワークに接続されており、図示しない工場ＣＰＵからの指示情報（条件設定や生産情報）の生産管理や稼動管理等、生産のための情報処理を行う。
【００４７】
基板加熱制御部１０４は、上流工程からガラス基板２４を受け入れ、このガラス基板２４を所望の温度まで加熱して貼り付け機構４６に供給する動作及び該ガラス基板２４の情報のハンドリング等を制御する。
【００４８】
ラミネート制御部１０２は、工程全体のマスターとして、各機能部の制御を行うものであり、第１及び第２検出機構４７ａ、４７ｂにより検出された感光性ウエブ２２ａ、２２ｂのハーフカット部位３４の位置情報に基づいて、貼り付け位置における各境界位置とガラス基板２４との相対位置及び各境界位置同士の相対位置を制御可能な制御機構を構成している。
【００４９】
ハーフカット制御部１０８は、第１及び第２加工機構３６ａ、３６ｂを制御し、感光性ウエブ２２ａ、２２ｂの所定の位置にハーフカット部位３４を形成する。
【００５０】
図５は、ラミネート制御部１０２及びハーフカット制御部１０８によるガラス基板２４に対する感光性樹脂層２８の貼り付け状態を検出し、その位置を調整する機能のブロックを示す。
【００５１】
ラミネート制御部１０２及びハーフカット制御部１０８は、ローラ送りパルスに基づいてゴムローラ８０ａを回転駆動するローラ駆動モータ１２０を制御するローラ制御部１２３を有する。ローラ制御部１２３は、基板先端検知センサ９４によるガラス基板２４の先端部の検知信号と、レーザ変位計やＣＣＤカメラ７２ａ、７２ｂによるハーフカット部位３４の検知信号とに従い、ゴムローラ８０ａの回転を制御する。
【００５２】
また、ラミネート制御部１０２及びハーフカット制御部１０８は、ＣＣＤカメラ９６ａ〜９６ｃにより検出したガラス基板２４及び保護フイルム３０の両端部に基づき、ガラス基板２４に対する保護フイルム３０の貼り付け位置を算出する貼り付け位置算出部１２４と、前記貼り付け位置に従って貼り付け状態を判定する貼り付け状態判定部１２６とを有する。
【００５３】
貼り付け状態判定部１２６は、貼り付け状態の判定結果に従い、ローラ送りパルス補正部１２８又はハーフカット位置補正部１３０に補正データを供給する。ローラ送りパルス補正部１２８は、補正データに従い、ローラ制御部１２３に供給するローラ送りパルスを調整する。また、ハーフカット位置補正部１３０は、補正データに従い、加工機構制御部１３３による第１及び第２加工機構３６ａ、３６ｂの加工タイミングを調整する。
【００５４】
製造装置２０内は、仕切り壁１１０を介して第１クリーンルーム１１２ａと第２クリーンルーム１１２ｂとに仕切られる。第１クリーンルーム１１２ａには、第１及び第２ウエブ送り出し機構３２ａ、３２ｂから第１及び第２テンション制御機構６６ａ、６６ｂまでが収容されるとともに、第２クリーンルーム１１２ｂには、第１及び第２検出機構４７ａ、４７ｂ以降が収容される。第１クリーンルーム１１２ａと第２クリーンルーム１１２ｂとは、貫通部１１４を介して連通する。
【００５５】
以上のように構成される製造装置２０の動作について、本発明に係る製造方法との関連で以下に説明する。
【００５６】
先ず、第１及び第２ウエブ送り出し機構３２ａ、３２ｂに取り付けられている各感光性ウエブロール２３ａ、２３ｂから感光性ウエブ２２ａ、２２ｂが送り出される。感光性ウエブ２２ａ、２２ｂは、第１及び第２加工機構３６ａ、３６ｂに搬送される。
【００５７】
第１及び第２加工機構３６ａ、３６ｂでは、丸刃５２が感光性ウエブ２２ａ、２２ｂの幅方向に移動して、前記感光性ウエブ２２ａ、２２ｂを保護フイルム３０から感光性樹脂層２８乃至ベースフイルム２６まで切り込んでハーフカット部位３４を形成する（図２参照）。さらに、感光性ウエブ２２ａ、２２ｂは、保護フイルム３０の残存部分３０ｂの幅Ｌ（図２）に対応して矢印Ａ方向に搬送された後に停止され、丸刃５２の走行作用下にハーフカット部位３４が形成される。これにより、感光性ウエブ２２ａ、２２ｂには、残存部分３０ｂを挟んで前方の剥離部分３０ａａと後方の剥離部分３０ａｂとが設けられる。
【００５８】
なお、残存部分３０ｂの幅Ｌは、感光性ウエブ２２ａ、２２ｂが延びないことを前提として、貼り付け機構４６のゴムローラ８０ａ、８０ｂ間に供給されるガラス基板２４間の距離を基準として設定されているものとする。
【００５９】
次いで、各感光性ウエブ２２ａ、２２ｂは、第１及び第２ラベル接着機構４０ａ、４０ｂに搬送されて、保護フイルム３０の所定の貼り付け部位が受け台５６上に配置される。第１及び第２ラベル接着機構４０ａ、４０ｂでは、所定枚数の接着ラベル３８が吸着パッド５４ｂ〜５４ｇにより吸着保持され、各接着ラベル３８が保護フイルム３０の残存部分３０ｂを跨いで、前方の剥離部分３０ａａと後方の剥離部分３０ａｂとに一体的に接着される（図３参照）。
【００６０】
例えば、７枚の接着ラベル３８が接着された感光性ウエブ２２ａ、２２ｂは、図１に示すように、第１及び第２リザーバ機構４２ａ、４２ｂを介して送り出し側のテンション変動を防いだ後、第１及び第２剥離機構４４ａ、４４ｂに連続的に搬送される。第１及び第２剥離機構４４ａ、４４ｂでは、感光性ウエブ２２ａ、２２ｂのベースフイルム２６がサクションドラム６２に吸着保持されるとともに、保護フイルム３０が残存部分３０ｂを残して前記感光性ウエブ２２ａ、２２ｂから剥離される。この保護フイルム３０は、剥離ローラ６３を介して剥離されて保護フイルム巻き取り部６４に巻き取られる。
【００６１】
第１及び第２剥離機構４４ａ、４４ｂの作用下に、保護フイルム３０が残存部分３０ｂを残してベースフイルム２６から剥離された後、感光性ウエブ２２ａ、２２ｂは、第１及び第２テンション制御機構６６ａ、６６ｂによってテンション調整が行われ、さらに、第１及び第２検出機構４７ａ、４７ｂのレーザ変位計やＣＣＤカメラ７２ａ、７２ｂによりハーフカット部位３４の検出が行われる。
【００６２】
この場合、感光性ウエブ２２ａ、２２ｂが延びないことを前提として、レーザ変位計やＣＣＤカメラ７２ａ、７２ｂが後方の剥離部分３０ａｂ側のハーフカット部位３４（図２）を検出したとき、ゴムローラ８０ａ、８０ｂ間の所定位置に先行する前方の剥離部分３０ａａ側のハーフカット部位３４が配置されるように、第１及び第２検出機構４７ａ、４７ｂと貼り付け機構４６との間の搬送路の長さが設定されているものとする。
【００６３】
そこで、レーザ変位計やＣＣＤカメラ７２ａ、７２ｂが後方の剥離部分３０ａｂ側のハーフカット部位３４を検知した後、感光性ウエブ２２ａ、２２ｂを保護フイルム３０の残存部分３０ｂの幅に対応した距離Ｌだけ搬送して停止させる一方、ガラス基板２４を、基板搬送機構４５の作用下に、予め加熱された状態で貼り付け位置に搬送する。ガラス基板２４は、並列されている感光性ウエブ２２ａ、２２ｂの感光性樹脂層２８の貼り付け部分に対応してゴムローラ８０ａ、８０ｂ間に一旦配置される。
【００６４】
次いで、バックアップローラ８２ｂ及びゴムローラ８０ｂを上昇させることにより、ゴムローラ８０ａ、８０ｂ間にガラス基板２４が所定のプレス圧力で挟み込まれる。ローラ制御部１２３（図５）は、ローラ送りパルスに基づいてローラ駆動モータ１２０を駆動し、ゴムローラ８０ａの回転作用下に、感光性ウエブ２２ａ、２２ｂ及びガラス基板２４を矢印Ｃ方向に搬送する。この結果、並列されている各感光性樹脂層２８がガラス基板２４に転写（ラミネート）される。この場合、感光性ウエブ２２ａ、２２ｂに延びがないものとすると、感光性ウエブ２２ａ、２２ｂの感光性樹脂層２８が後方の剥離部分３０ａｂ側のハーフカット部位３４からガラス基板２４の所定部位に正確に転写されることになる。
【００６５】
なお、ラミネート条件としては、速度が１．０ｍ／ｍｉｎ〜１０．０ｍ／ｍｉｎ、ゴムローラ８０ａ、８０ｂの温度が９０℃〜１４０℃、前記ゴムローラ８０ａ、８０ｂのゴム硬度が４０度〜９０度、該ゴムローラ８０ａ、８０ｂのプレス圧（線圧）が５０Ｎ／ｃｍ〜４００Ｎ／ｃｍである。
【００６６】
基板先端検知センサ９４がガラス基板２４の先端を検知し、ゴムローラ８０ａ、８０ｂを介してガラス基板２４に感光性ウエブ２２ａ、２２ｂの一枚分のラミネートが終了すると、前記ゴムローラ８０ａの回転が停止される一方、前記感光性ウエブ２２ａ、２２ｂがラミネートされた前記ガラス基板２４（以下、貼り付け基板２４ａともいう。）が基板搬送ローラ９２によりクランプされる。このとき、後述するように、先行するガラス基板２４の後端部及び感光性樹脂層２８の後端部の位置がＣＣＤカメラ９６ａ〜９６ｃを用いて検出される。
【００６７】
そして、ゴムローラ８０ｂが、ゴムローラ８０ａから離間する方向に退避してクランプが解除されるとともに、基板搬送ローラ９２の回転が開始されて、貼り付け基板２４ａが矢印Ｃ方向に保護フイルム３０の残存部分３０ｂの幅に対応する距離Ｌだけ搬送され、保護フイルム３０の後方のハーフカット部位３４がゴムローラ８０ａの下方付近の所定位置に移動する。このとき、後述するように、ラミネートの完了したガラス基板２４の先端部及び感光性樹脂層２８の先端部の位置がＣＣＤカメラ９６ａ〜９６ｃを用いて検出される。
【００６８】
一方、基板搬送機構４５を介して次なるガラス基板２４が貼り付け位置に向かって搬送される。以上の動作が繰り返されることにより、貼り付け基板２４ａが連続的に製造される。
【００６９】
その際、貼り付け基板２４ａは、図４に示すように、それぞれの端部同士が残存部分３０ｂによって覆われている。従って、感光性樹脂層２８がガラス基板２４に転写される際、ゴムローラ８０ａ、８０ｂが前記感光性樹脂層２８により汚れることがない。
【００７０】
貼り付け機構４６でラミネートされた貼り付け基板２４ａは、冷却機構１２２を通って冷却された後、プレ剥離部１４４に移送される。このプレ剥離部１４４では、剥離バー１５６がガラス基板２４間に臨入して上昇し、これによって、ガラス基板２４間の保護フイルム３０が持ち上げられ、隣接するガラス基板２４の後端及び先端から剥離する。
【００７１】
次いで、ベース自動剥離機構１４２では、巻き取り軸１４８の回転作用下に、貼り付け基板２４ａからベースフイルム２６が連続して巻き取られる。さらに、トラブル停止での切り離しや、不良品分離時の切断の後、新たにラミネート処理が開始された貼り付け基板２４ａのベースフイルム２６の先端と、巻き取り軸１４８に巻き取られているベースフイルム２６の後端とは、自動貼り付け機１５０を介して自動的に貼り付けられる。
【００７２】
ベースフイルム２６が剥離された貼り付け基板２４ａは、測定器１５８に対応する検査ステーションに配置される。この検査ステーションでは、ガラス基板２４が位置決め固定された状態で、４台のカメラ１６０によりガラス基板２４と感光性樹脂層２８の画像を取り込む。そして、画像処理が施されることにより、貼り付け位置が演算される。
【００７３】
感光性樹脂層２８の貼り付け位置が確認された貼り付け基板２４ａは、ロボット１３４によって取り出され、感光性積層体１０６として感光性積層体ストッカー１３２に収容される。
【００７４】
ところで、以上の説明では、第１及び第２ウエブ送り出し機構３２ａ、３２ｂから送り出された感光性ウエブ２２ａ、２２ｂが延びることなく貼り付け機構４６に供給されることを前提としているが、実際には、可撓性を有する感光性ウエブ２２ａ、２２ｂがテンションや熱の影響を受けて所定量延びてしまうため、ガラス基板２４の所定位置に感光性樹脂層２８が高精度に転写されないことが懸念される。
【００７５】
そこで、図５〜図７に基づき、ガラス基板２４に対する感光性樹脂層２８の貼り付け位置の補正方法について説明する。
【００７６】
先ず、１枚分のラミネートが完了し、基板先端検知センサ９４がガラス基板２４の先端部を検知すると（ステップＳ１）、ローラ制御部１２３は、ローラ駆動モータ１２０を制御してゴムローラ８０ａの回転を停止させる。これにより、感光性ウエブ２２ａ、２２ｂの搬送が停止される（ステップＳ２）。
【００７７】
次いで、照明光源９８ａ〜９８ｃからの照明光がガラス基板２４及び感光性樹脂層２８の後端部に照射され、これらを透過した照明光をＣＣＤカメラ９６ａ〜９６ｃによって受光することにより、前記後端部における貼り付け状態を示す画像情報が検出される（ステップＳ３）。ＣＣＤカメラ９６ａ〜９６ｃによって検出された前記画像情報は、貼り付け位置算出部１２４に供給され、所定の画像処理が施されることにより、後端部の貼り付け位置が算出される（ステップＳ４）。
【００７８】
この場合、貼り付け位置算出部１２４は、図７の（Ａ）に示すように、ＣＣＤカメラ９６ａ〜９６ｃによって取得した画像情報に基づき、ガラス基板２４の後端部と、それに貼り付けられた感光性ウエブ２２ａ、２２ｂにおける感光性樹脂層２８の後端部との間の距離ＥＢ１、ＥＢ２及びＥＡ１、ＥＡ２を算出する。また、貼り付け位置算出部１２４は、ガラス基板２４の側部と感光性ウエブ２２ａ、２２ｂとの間及び感光性ウエブ２２ａ、２２ｂ間の距離ＥＢ３、ＥＡ３、ＥＡ４を算出する。
【００７９】
次に、感光性ウエブ２２ａ、２２ｂを保護フイルム３０の残存部分３０ｂの幅に対応する距離Ｌだけ搬送する基板間送りを行って搬送を停止させた後（ステップＳ５）、再び、ＣＣＤカメラ９６ａ〜９６ｃを用いて、ガラス基板２４及び感光性樹脂層２８の先端部における貼り付け状態を示す画像情報を検出し（ステップＳ６）、貼り付け位置算出部１２４において先端部の貼り付け位置を算出する（ステップＳ７）。
【００８０】
この場合、貼り付け位置算出部１２４は、図７の（Ｂ）に示すように、ガラス基板２４の先端部と、それに貼り付けられた感光性ウエブ２２ａ、２２ｂにおける感光性樹脂層２８の先端部との間の距離ＦＢ１、ＦＢ２及びＦＡ１、ＦＡ２を算出する。また、貼り付け位置算出部１２４は、ガラス基板２４の側部と感光性ウエブ２２ａ、２２ｂとの間及び感光性ウエブ２２ａ、２２ｂ間の距離ＦＢ３、ＦＡ３、ＦＡ４を算出する。
【００８１】
貼り付け状態判定部１２６は、貼り付け位置算出部１２４によって算出した各貼り付け位置に基づき、ガラス基板２４に対する感光性樹脂層２８の貼り付け状態を判定する（ステップＳ８）。
【００８２】
例えば、算出された各距離ＥＢ１、ＥＢ２、ＥＡ１、ＥＡ２、ＦＢ１、ＦＢ２、ＦＡ１、ＦＡ２がいずれも許容範囲内であれば、位置ずれがないものと判定し（ステップＳ９）、位置ずれの補正を行わず、貼り付け処理を継続する。
【００８３】
一方、各距離ＥＢ１、ＥＢ２、ＥＡ１、ＥＡ２、ＦＢ１、ＦＢ２、ＦＡ１、ＦＡ２のいずれかが許容範囲を超過しているが、ガラス基板２４と感光性ウエブ２２ａ、２２ｂとの相対的な位置関係を調整することで許容範囲内とすることができる場合、貼り付け状態判定部１２６は、ガラス基板２４及び感光性ウエブ２２ａ、２２ｂ間の位置ずれと判定し（ステップＳ１０）、基板間送りを行うローラ送りパルスを補正する補正データをローラ送りパルス補正部１２８に供給する。ローラ送りパルス補正部１２８は、前記補正データに従ってローラ送りパルスを補正し、ローラ制御部１２３に供給する。ローラ制御部１２３は、感光性ウエブ２２ａ、２２ｂの残存部分３０ｂの幅Ｌに対応する距離を前記補正データに従った量だけ補正し、感光性ウエブ２２ａ、２２ｂを搬送する（ステップＳ１１）。この結果、ガラス基板２４の両端部と感光性樹脂層２８の両端部との間の位置ずれを許容範囲内とすることができる。
【００８４】
また、各距離ＥＢ１、ＥＢ２、ＥＡ１、ＥＡ２、ＦＢ１、ＦＢ２、ＦＡ１、ＦＡ２のいずれかが許容範囲を超過しており、ガラス基板２４と感光性ウエブ２２ａ、２２ｂとの相対的な位置関係を調整しても、位置ずれを許容範囲内に補正できない場合、感光性ウエブ２２ａ、２２ｂが許容以上に延び、あるいは、感光性ウエブ２２ａ、２２ｂ間の特性の差異が大きいことが想定される。この場合、貼り付け状態判定部１２６は、ハーフカット部位３４の位置を補正する補正データをハーフカット位置補正部１３０に供給する。ハーフカット位置補正部１３０は、加工機構制御部１３３に補正データに従って補正した加工位置データを供給し、加工機構制御部１３３は、補正された加工位置データに従った位置にハーフカット部位３４を形成する（ステップＳ１２）。
【００８５】
なお、貼り付け基板２４ａの側部と感光性ウエブ２２ａ、２２ｂの側部との距離ＥＢ３、ＥＡ４、及び、感光性ウエブ２２ａ、２２ｂ間の距離ＥＡ３が許容範囲を超過している場合には、例えば、各感光性ウエブ２２ａ、２２ｂを供給する搬送系又は感光性ウエブ２２ａ、２２ｂを、これらの距離の補正データに従って搬送方向と直交する方向に移動させることにより、調整することが可能である。
【００８６】
以上のようにして、ガラス基板２４に対する感光性樹脂層２８の貼り付け位置を調整することにより、高品質な貼り付け基板２４ａを製造することができる。
【００８７】
なお、第１の実施形態では、２本の感光性ウエブロール２３ａ、２３ｂを用いているが、これに限定されるものではなく、１本の感光性ウエブローラや、３本以上の感光性ウエブローラを採用してもよい。また、以下に説明する第２の実施形態においても、同様である。
【００８８】
図８は、本発明の第２の実施形態に係る製造装置３００の概略構成図である。なお、第１の実施形態に係る製造装置２０と同一の構成要素には同一の参照符号を付して、その詳細な説明は省略する。
【００８９】
製造装置３００は、貼り付け機構４６の下流に配置され、各ガラス基板２４間の感光性ウエブ２２ａ、２２ｂを一体的に切断可能な基板間ウエブ切断機構４８を備える。
【００９０】
このように構成される製造装置３００では、上記の第１の実施形態と同様に、貼り付け機構４６でラミネートされた貼り付け基板２４ａは、矢印Ｃ方向に搬送される。そして、貼り付け基板２４ａ間が基板間ウエブ切断機構４８に対応する位置に至ると、この基板間ウエブ切断機構４８は、前記貼り付け基板２４ａと同一の搬送速度で矢印Ｃ方向に移動しながら、該貼り付け基板２４ａ間で２本の感光性ウエブ２２ａ、２２ｂを一体的に切断する。
【００９１】
この切断後に、基板間ウエブ切断機構４８は、所定の待機位置に戻される一方、貼り付け基板２４ａでは、ベースフイルム２６及び残存部分３０ｂが順次剥離（枚葉剥離）されて感光性積層体１０６が製造される。
【図面の簡単な説明】
【００９２】
【図１】本発明の第１の実施形態に係る製造装置の概略構成図である。
【図２】前記製造装置に使用される長尺状感光性ウエブの断面図である。
【図３】前記長尺状感光性ウエブに接着ラベルが接着された状態の説明図である。
【図４】貼り付け機構及びその下流側に配設される貼り付け状態を検出する検出部の説明図である。
【図５】貼り付け状態を検出して位置調整を行う機能のブロック図である。
【図６】貼り付け状態を検出して補正する処理のフローチャートである。
【図７】ガラス基板に貼り付けられた２枚の感光性ウエブの貼り付け状態の説明図である。
【図８】本発明の第２の実施形態に係る製造装置の概略構成図である。
【図９】特許文献１の製造装置の概略構成図である。
【符号の説明】
【００９３】
２０、３００…製造装置        ２２ａ、２２ｂ…感光性ウエブ
２４…ガラス基板              ２６…可撓性ベースフイルム
２８…感光性樹脂層            ３０…保護フイルム
４６…貼り付け機構            ４７ａ、４７ｂ…検出機構
８０ａ、８０ｂ…ゴムローラ    ９４…基板先端検知センサ
９６ａ〜９６ｃ…ＣＣＤカメラ  １２４…貼り付け位置算出部
１２６…貼り付け状態判定部    １２８…ローラ送りパルス補正部
１３０…ハーフカット位置補正部
【図１】
2008110492.tif 000003
【図２】
2008110492.tif 000004
【図３】
2008110492.tif 000005
【図４】
2008110492.tif 000006
【図５】
2008110492.tif 000007
【図６】
2008110492.tif 000008
【図７】
2008110492.tif 000009
【図８】
2008110492.tif 000010
【図９】
2008110492.tif 000011